(57)【要約】  電子機器（例えば、表示装置）（１０１）は外部接続装置（例えば、映像記録再生装置）（２０１）と接続され、データ通信を行う。電子機器（１０１）の制御部（１０３）は、操作情報を受信した場合、電子機器（１０１）に対する操作画面（ＧＵＩ）が表示されているか否かを判断する。操作画面が表示されている場合、制御部（１０３）はさらに受信した操作情報に対応するキー（受信キー）が操作画面に対して有効であるか否かを判断する。受信キーが操作画面に有効な場合、制御部（１０３）は、受信キーに応じた制御を行い、受信キーが操作画面に有効でない場合、受信した操作情報を外部接続装置（２０１）へ送信する。これにより、電子機器及び外部装置双方の操作画面が同時に表示されている状態において、１つのリモコンによって、双方の操作画面が同時に動作するのを防止しつつ、一方のみの操作を可能とする。【特許請求の範囲】
【請求項１】
第１の機器を操作するための第１の操作画面と、第２の機器を操作するための第２の操作画面とを同時に表示した状態で第１及び第２の機器を制御する方法であって、
第１の機器または第２の機器を操作するための操作情報を受信し、
前記第１の操作画面が表示されているか否かを判断し、
前記第１の操作画面が表示されている場合に、さらに前記受信した操作情報に対応するキーが前記第１の操作画面に対して有効であるか否かを判断し、
前記キーが前記第１の操作画面に有効な場合、前記受信した操作情報に対応するキーに応じて前記第１の機器に対する制御を行い、
前記キーが前記操作画面に有効でない場合、前記操作情報を前記第２の機器へ送信する
ことを特徴とする機器制御方法。
【請求項２】
前記操作情報は前記第１の機器に対するリモコンから送信される、ことを特徴とする請求項１記載の機器制御方法。
【請求項３】
前記操作情報に対応するキーは、上下左右の少なくともいずれかの方向にカーソルを移動させるためのキー及び／又は選択の確定または選択された機能の実行のために使用される決定キーを含む、ことを特徴とする請求項１記載の機器制御方法。
【請求項４】
前記第１の機器は、映像を表示可能な表示装置である、請求項１記載の機器制御方法。
【請求項５】
前記第２の機器は、所定の記録媒体に対して情報の記録及び／又は再生を行うことが可能な装置である、請求項１記載の機器制御方法。
【請求項６】
ａ）外部接続装置との間でデータの送受信可能な電子機器において、
前記電子機器または前記外部接続装置を操作するための操作情報を受信する操作受信部と、
前記電子機器の動作を制御する制御部と、
前記外部接続装置に、前記受信した操作情報をコマンドデータとして送信可能なコマンド送信部とを備え、
ｂ）前記制御部は、
前記操作受信部により操作情報を受信した場合、前記電子機器の操作を行うための操作画面が表示されているか否かを判断し、前記操作画面が表示されている場合、さらに、前記受信した操作情報に対応するキーが前記操作画面に対して有効であるか否かを判断し、
前記キーが前記操作画面に有効な場合、前記受信した操作情報に対応するキーに応じて前記電子機器に対する制御を行い、
前記キーが前記操作画面に有効でない場合、前記コマンド送信部を介して前記外部接続装置へ前記操作情報を送信する、
ことを特徴とする電子機器。
【請求項７】
前記操作受信部は、前記電子機器に対するリモコンから送信された操作情報を受信する、ことを特徴とする請求項６記載の電子機器。
【請求項８】
前記操作情報に対応するキーは、上下左右の少なくともいずれかの方向にカーソルを移動させるためのキー及び／又は選択の確定または選択された機能の実行のために使用される決定キーを含む、ことを特徴とする請求項６記載の電子機器。
【請求項９】
映像を表示可能な表示装置である、請求項６記載の電子機器。
【請求項１０】
電子機器に接続され、前記電子機器との間でデータの送受信可能な外部接続装置であって、
前記電子機器に対して送信された操作情報を前記電子機器から受信するコマンド受信部と、
前記外部接続装置の動作を制御する制御部と、
前記コマンド受信部を介して受信した操作情報に応じて、前記外部接続装置の操作画面を処理するデータ処理部と、
前記データ処理部により処理された操作画面を、前記電子機器へ送信するデータ出力部と
を備えることを特徴とする外部接続装置。
【請求項１１】
所定の記録媒体に対して情報の記録及び／又は再生を行う装置である、請求項１０記載の外部接続装置。
【請求項１２】
請求項６に記載の電子機器と、請求項１０に記載の外部接続装置とを含むことを特徴とするシステム。
【発明の詳細な説明】
【技術分野】
【０００１】
本発明は、操作画面（ＧＵＩ）を用いた機器制御技術に関し、特に、第１の機器の操作画面と、第１の機器に接続する第２の機器の操作画面とを同時に表示した状態で第１の機器または第２の機器を制御する技術（方法、装置）に関する。
【背景技術】
【０００２】
一般にテレビ装置のような表示装置は、テレビ放送を受信し再生するだけでなく、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）、ＤＶＤプレーヤ等の外部接続装置に接続し、それらの外部接続装置で再生したコンテンツを視聴することができる。そのため、表示装置はテレビ放送を受信するためのアンテナ端子に加えて、少なくとも１つの外部入力端子を備えていることが多い。ユーザは、目的に応じて、これらの外部入力をリモコンや表示装置本体上のボタンで切り替えることができるようになっている。【０００３】
表示装置に接続される外部接続装置についても通常リモコンが提供される。よって、ユーザは表示装置及び外部接続装置それぞれのリモコンを操作対象に応じて使い分ける必要があり、作業が煩雑となる。【０００４】
この問題を解決するものに特許文献１の表示装置がある。この表示装置では、ＤＶＲなどの再生装置が再生する番組における番組関連情報またはデータ放送を、映像、音声データと関連付けて受信し、伝送フォーマットに応じて複号して再生する。これにより、表示装置において、再生番組のデータ放送を受信するとともに、映像や音声と関連付けた表示やリモコン操作が可能となる。その結果として、従来、表示装置のリモコンとＤＶＲ等の再生装置のリモコンの双方を用いて操作していたものが、表示装置のリモコンのみを用いて両方の機器を操作することが可能となり、ユーザ操作の煩わしさを解決している。
【特許文献１】特開２００４−２７４７１８号公報
【発明の開示】
【発明が解決しようとする課題】
【０００５】
表示装置及び外部接続装置の操作には通常、操作画面（ＧＵＩ：Graphical User Interface）が使用される。表示装置及び外部接続装置の各々の操作画面が同時に表示装置上に表示されている状態で、表示装置及び外部接続装置のリモコンのいずれか一方を使用して機器を操作する場合、次のような問題がある。【０００６】
表示装置のリモコンまたは外部接続装置のリモコンのいずれか一方を使用した場合、各々の操作画面しか操作することができない。【０００７】
また、表示装置及び外部接続装置のリモコンのいずれか１つで、表示装置の操作画面と外部接続装置の操作画面を操作できたとしても、一つのリモコンで双方の操作画面が操作され、表示装置の操作画面の機能と外部装置の操作画面の機能とが同時に動作してしまい、片方の操作画面のみ操作することは不可能である。【０００８】
本発明は上記課題を解決すべくなされたものであり、その目的とするところは、表示装置の操作画面と外部装置の操作画面とが表示装置上に同時に表示されている状態において、１つのリモコンによって双方の操作画面が同時に動作するのを防止しつつ所望の操作を可能とする機器制御方法並びにその方法を用いた電子機器及びシステムを提供することにある。
【課題を解決するための手段】
【０００９】
本発明の第１の態様において、第１の機器を操作するための第１の操作画面と、第２の機器を操作するための第２の操作画面とを同時に表示した状態で第１及び第２の機器を制御する方法が提供される。制御方法は、第１の機器または第２の機器を操作するための操作情報を受信し、第１の操作画面が表示されているか否かを判断する。第１の操作画面が表示されている場合、さらに受信した操作情報に対応するキー（受信キー）が第１の操作画面に対して有効であるか否かを判断する。その受信キーが第１の操作画面に有効な場合、受信キーに応じて第１の機器に対する制御を行う。受信キーが操作画面に有効でない場合、操作情報を第２の機器へ送信する。【００１０】
操作情報は、第１の機器に対するリモコンから送信されてもよい。【００１１】
操作情報に対応するキーには、上下左右の少なくともいずれかの方向にカーソルを移動させるためのキー及び／又は選択の確定または選択された機能の実行のために使用される決定キーが含まれてもよい。【００１２】
第１の機器は映像を表示可能な表示装置であり、第２の機器は、所定の記録媒体に対して情報の記録及び／又は再生を行うことが可能な装置であってもよい。【００１３】
本発明の第２の態様において、外部接続装置との間でデータの送受信可能な電子機器が提供される。電子機器は、電子機器または外部接続装置を操作するための操作情報を受信する操作受信部と、電子機器の動作を制御する制御部と、外部接続装置に、受信した操作情報をコマンドデータとして送信可能なコマンド送信部とを備える。制御部は、操作受信部により操作情報を受信した場合、電子機器の操作を行うための操作画面が表示されているか否かを判断し、操作画面が表示されている場合、さらに受信した操作情報に対応するキー（受信キー）が操作画面に対して有効であるか否かを判断する。受信キーが操作画面に有効な場合、受信した操作情報に対応するキーに応じて電子機器に対する制御を行う。受信キーが操作画面に有効でない場合、コマンド送信部を介して外部接続装置へ操作情報を送信する。【００１４】
本発明の第３の態様において、電子機器に接続され、電子機器との間でデータの送受信可能な外部接続装置が提供される。外部接続装置は、電子機器に対して送信された操作情報を電子機器から受信するコマンド受信部と、外部接続装置の動作を制御する制御部と、コマンド受信部を介して受信した操作情報に応じて、外部接続装置の操作画面を処理するデータ処理部と、データ処理部により処理された操作画面を、前記電子機器へ送信するデータ出力部とを備える。【００１５】
上記の電子機器と外部接続装置によりシステムを構成してもよい。
【発明の効果】
【００１６】
本発明によれば、表示装置の操作画面と外部接続装置の操作画面が同時に表示されている状態においても、押されたボタンが表示装置の操作画面に対して有効か無効かを判断し、有効な場合に表示装置の操作画面を機能させ、無効な場合に外部接続装置の操作画面を機能させる（外部装置の操作に切り替える）。これにより、同時に操作画面が表示されていている場合でも、双方の操作画面が同時に操作されてしまうことを防止し、いずれか一方の操作画面のみ操作することが可能となる。
【図面の簡単な説明】
【００１７】
【図１】本発明の実施の形態における表示装置と外部接続装置を含む映像表示システムの構成図
【図２】表示装置及び外部接続装置の各々のメニュー画面が同時に表示されている例を示す図
【図３】本発明の実施の形態における表示装置のフローチャート
【図４】本発明の実施の形態における外部接続装置のフローチャート
【図５】表示装置及び外部接続装置の各々のメニュー画面が同時に表示されている例を示す図
【符号の説明】
【００１８】
１１、１５    表示装置用メニュー画面
１３、１７    外部接続装置用メニュー画面
１０１    表示装置（電子機器）
１０２、２０２    ユーザ操作受信部
１０３、２０３    制御部
１０４、２０４    コマンド入出力Ｉ／Ｆ
１０５    データ入力Ｉ／Ｆ
１０６、２０６    データ処理部
１０７    アンテナ
１０８    チューナ
１０９    外部入力部
１１０    スイッチ
１１１    表示部
２０１    外部接続装置
２０５    データ出力Ｉ／Ｆ
３００    表示装置用リモコン
３０１    通信ケーブル
【発明を実施するための最良の形態】
【００１９】
以下、本発明の実施形態を添付の図面を参照して説明する。【００２０】
１．システム構成
図１は、本発明の実施の形態における表示装置と外部接続装置からなる映像表示システムの構成を示す図である。表示装置１０１と外部接続装置２０１はともに、フォーカスおよびカーソル移動が可能な操作画面（以下「メニュー画面」という。）を備えている。ここで、「フォーカス」とは、メニュー画面上に表示されている種々の選択項目の１つを指定する操作のことであり、「カーソル移動」とは、選択項目の指定を遷移させる操作をいう。【００２１】
表示装置１０１は、例えば、放送を受信して、また外部からの映像音声信号を入力して再生可能なテレビ受像機等の電子機器である。外部接続機器２０１は例えば、表示装置１０１に接続可能な機器であって、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）や、ＤＶＤプレーヤである。【００２２】
表示装置１０１は、複数の操作キー（ボタン）を有する専用のリモコン３００から操作可能である。操作キーは表示装置１０２の本体にも設けられている。リモコン３００や表示装置本体においてユーザによりキーが操作されると、そのキーに応じた操作コードが出力される。表示装置１０１は、リモコン３００または表示装置本体に設けられたキーから操作コードを受信するユーザ操作受信部１０２を備える。ユーザ操作受信部１０２は表示装置１０１に専用のリモコン３００からの操作コードを受け付ける。【００２３】
表示装置１０１はさらに、表示装置１０１の動作を制御する制御部１０３と、コマンドデータを伝送するコマンド入出力Ｉ／Ｆ（インタフェース）１０４と、映像／音声／メニューデータ等を受信するデータ入力Ｉ／Ｆ１０５と、入力された映像／音声／メニューデータ等を処理するデータ処理部１０６と、放送信号を受信するアンテナ１０７と、アンテナ１０７から受信した放送信号を制御するチューナ１０８と、映像／音声／メニューデータ等を外部から入力する外部入力部１０９と、外部入力部１０９、チューナ１０８及びデータ入力ＩＦ１０５のそれぞれの出力の中から１つを選択するスイッチ１１０と、表示部１１１上に表示中のメニュー画面に関する情報を格納する画面情報格納部１１３とを含む。【００２４】
外部接続装置２０１も、複数の操作キーを有する専用のリモコン（図示せず）から操作可能であり、また外部接続装置２０１の本体にも複数の操作キーが設けられている。外部接続装置２０１は、外部接続装置２０１のリモコンまたは外部接続装置本体の操作キーから、操作されたキーに応じた操作コードを受信するユーザ操作受信部２０２を有する。ユーザ操作受信部２０２は外部接続装置２０１に専用のリモコンからの操作コードを受け付ける。外部接続装置２０１は、外部接続装置２０１の動作を制御する制御部２０３と、コマンドデータを伝送するコマンド入出力Ｉ／Ｆ２０４と、映像／音声／メニューデータ等を送信するデータ出力Ｉ／Ｆ２０５と、出力したい映像／音声／メニューデータ等を処理するデータ処理部２０６と、表示装置１０１上に表示されているメニュー画面に関する情報を格納する画面情報格納部２１３とを含む。【００２５】
表示装置１０１と外部接続装置２０１との間は通信ケーブル３０１で接続され、映像データ／音声データ／メニュー画面データやコマンドデータがやりとりされる。表示装置１０１と外部接続装置２０１との間は例えばＨＤＭＩ（High-Definition Multimedia Interface）を用いて接続可能である。ＨＤＭＩは３つのデータチャネルと１つのクロックチャネル（以下「ＴＭＤＳチャンネル」という。）と、機器間の構成やステータスをやり取りするディスプレイデータチャネル（以下「ＤＤＣ」という。）とを有する。さらに、ＨＤＭＩはオプションのＣＥＣ回線を有し、これにより種々のＡＶ機器間で制御信号を双方向に伝送させることができる。本実施形態では、映像データ／音声データ／メニュー画面データはＴＭＤＳチャンネルを介して、コマンドデータはＣＥＣ回線を介して送受信を行う。コマンドデータはＤＤＣを介して送受信してもよい。ＨＤＭＩの代わりにＩＥＥ１３９４を用いても同様の機能が実現できる。【００２６】
２．動作
表示装置１０１の動作について説明する。表示装置１０１上には、表示装置１０１及び外部接続装置メニューがそれぞれ同時に表示可能であるとする。表示装置１０１の表示部１１１上に、表示装置１０１に対する所定の操作を行うためのメニュー画面（以下「表示装置メニュー」という。）及び外部接続装置２０１に対する所定の操作を行うためのメニュー画面（以下「外部接続装置メニュー」という。）がそれぞれ表示されている状態において、表示装置２０１のリモコン３００または表示装置本体の操作キーは、メニュー画面上でカーソル移動するためのキーに関する指示（操作コード）を送信できる。ユーザ操作受信部１０２はそのキーの指示（操作コード）を受信し、受信したキーの内容を制御部１０３に連絡する。【００２７】
表示装置１０１のデータ処理部１０６は表示装置メニューを生成し、表示部１１１上で表示させる。【００２８】
図２は、表示装置１０１及び外部接続装置２０１のそれぞれのメニュー画面が表示部１１１上に同時に表示されている状態の例を示した図である。表示装置メニュー１１には３つの選択項目１１ａ〜１１ｃが表示されている。さらに、選択項目１１ａ〜１１ｃを選択し、確定または実行するために使用するキー（上下左右方向キー、決定キー等）を示すガイダンス１１ｄも表示されている。同様に、外部接続装置メニュー１３には３つの選択項目１３ａ〜１３ｃが表示されている。また、メニュー画面１３は、各選択項目１３ａ〜１３ｃを選択し、確定または実行するために使用するキー（上下左右方向キー、決定キー等）を示すガイダンス１３ｄが表示されている。図２では、表示装置メニュー１１において「音声設定」１１ｂがフォーカスされており、外部接続装置メニュー１３において「再生設定」１３ｂがフォーカスされている。【００２９】
選択項目を選択し、確定または実行するために使用するキーは、表示装置１０１及び外部接続装置２０１のそれぞれのメニュー画面において共通に使用されるキー（ボタン）であるため、これらのキーを総称して「共通キー」と呼ぶ。共通キーは、一つ前の状態に戻ったり、表示している画面を消去したりするボタン（以下「戻るキー」）を含んでもよい。以下の説明では、説明の簡単化のために、表示装置１０１または外部接続装置２０１がリモコンまたは装置本体から、共通キーの操作コードを受信した場合の動作について説明する。共通キー以外のキーの操作コードを受信した場合、従来どおりそのキーに応じたメニュー画面の操作を行えばよい。【００３０】
図１に戻り、スイッチ１１０はデータ入力ＩＦ１０５の出力を選択している。よって、データ処理部１０６は、外部接続装置２０１からデータ入力Ｉ／Ｆ１０５を介して入力した信号に対して所定のデータ処理を行い表示部１１１に表示させる。【００３１】
制御部１０３は、表示装置メニューと外部接続装置メニューの状態を管理している。また、現在表示している表示装置メニュー内の表示内容も管理している。このため、現在表示されている表示装置メニューと外部接続装置メニューの状態に関する情報、及び、現在表示している表示装置メニュー内の表示内容に関する情報が、画面情報格納部１１３に格納される。制御部１０３は画面情報格納部１１３を参照してメニュー画面の表示状態、表示内容を認識し、受信したキーが、現在表示されている画面に有効（必要）なキーか否かを判断できる。メニュー画面の状態とは、メニュー画面の表示／非表示状態を意味し、メニュー画面内の表示内容は、メニュー画面に表示されている選択項目の内容や、各選択項目の選択状態等を含む。【００３２】
制御部１０３は、ユーザ操作受信部１０２で受信した操作コードに対応するキーの内容（種類）を判断する。制御部１０３は、受信したキーが現在表示している、表示装置メニュー１１の表示内容に有効なキーである場合、つまり、制御部１０３で管理している、表示装置メニュー１１で必要なキーと受信したキーとが一致した場合、受信したキーを、表示装置メニュー１１の操作に用いる。この場合、制御部１０３は、受信したキーに関するコマンドデータを、コマンド入出力Ｉ／Ｆ１０４へ転送しない。【００３３】
一方、ユーザ操作受信部１０２で受信した共通キーの内容が現在表示している表示装置メニュー１１に無効な場合、つまり、制御部１０３で管理している、表示装置メニュー１１で必要とされているキーと受信したキーとが一致しない場合、制御部１０３は、表示装置メニュー１１の状態を保持し、受信したキーに対応するコマンドデータをコマンド入出力Ｉ／Ｆ１０４へ転送する。このコマンドデータは、コマンド入出力Ｉ／Ｆ１０４を介して外部接続装置２０１へ送信される。【００３４】
外部接続装置２０１は、コマンド入出力Ｉ／Ｆ１０４を介して表示装置１０１からコマンドデータを受信する。表示装置１０１の表示部１１１に外部接続装置メニューが表示されている場合、制御部２０３は、受信したコマンドデータに基づき、表示装置１０１から受信したキーの内容を判断する。制御部２０３は、受信したキーの内容が、表示部１１１上で現在表示中の外部接続装置メニューに有効な場合、外部接続装置メニューに対してそのキーの内容に応じた処理を行う。つまり、このタイミングでキーによる指示が外部接続装置２０１に伝達される。なお、表示部１１１上で表示される外部接続装置メニューは、外部接続装置２０１のデータ処理部２０６により生成され、そのデータがデータ出力Ｉ／Ｆ２０５を介して表示装置１０１に送信される。【００３５】
表示装置１０１の制御部１０３は、受信したキーの内容が現在表示している表示装置メニュー及び外部接続装置メニューのいずれにも無効である場合、そのキーについて特に処理を行わない。【００３６】
（表示装置における処理）
図３は、本実施形態における、外部接続装置２０１が接続された表示装置１０１の処理を示すフローチャートである。表示装置１０１上では、表示装置１０１及び外部接続装置２０１のそれぞれのメニュー画面が表示されており、両メニュー画面はともに共通キーによる操作（フォーカスおよびカーソル移動）が可能な画面である。【００３７】
表示装置１０１のユーザ操作受信部１０２は、リモコン３００または表示装置本体から、ユーザにより操作されたキーに応じた操作コードを受信する（Ｓ１１）。制御部１０３は、画面情報格納部２１３を参照し、表示部１１１に表示装置メニューが表示されているか否かを確認する（Ｓ１２）。表示装置メニューが表示されている場合、画面情報格納部２１３を参照し、受信した操作コードのキーが、表示中の表示装置メニューに有効なキーであるか否かを判断する（Ｓ１３）。表示中の表示装置メニューが、共通キーにより操作可能な画面か否かを判断する。【００３８】
ステップＳ１３において、有効であると判断した場合、制御部１０３は受信したキーの内容にしたがい表示装置メニューを処理する（Ｓ１４）。すなわち、表示装置１０１に対して、表示装置メニューと受信したキーに応じた処理がなされる。例えば、図２のような表示装置１０１または外部接続装置２０１各々のメニュー画面１１、１３が同時に表示されている場合、表示装置メニュー１１においては、フォーカス（本例の場合、音声設定項目１１ｂ）およびカーソル移動が可能であるため、受信した操作コードのキーが表示中のメニュー画面に有効なキーであると判断される。この場合、そのキーにより表示装置メニューに対して操作でき、外部接続装置メニューの操作は不可となる。【００３９】
一方、ステップＳ１３で、受信したキーが表示中のメニュー画面に有効でない場合（Ｓ１３でＮＯ）、制御部１０３は、その受信したキーに関する情報をコマンド入出力Ｉ／Ｆ１０４を介して外部接続装置２０１へ送信する（Ｓ１５）。この場合、表示部１１１上に表示された表示装置メニューは変更されない。【００４０】
（外部接続装置における処理）
図４は、本実施の形態における、表示装置１０１に接続した外部接続装置２０１の処理を示すフローチャートである。【００４１】
外部接続装置２０１は、コメント入出力Ｉ／Ｆ２０４を介して表示装置１０１から操作コードを受信する（Ｓ３１）。外部接続装置２０１の制御部２０３は、画面情報格納部２１３を参照し、外部接続装置メニューが表示装置１０１の表示部１１１に表示されているか否かを確認する（Ｓ３２）。【００４２】
外部接続装置メニューが表示されている場合、制御部２０３は、受信した操作コードに対応するキーが、表示中の外部接続装置メニューに有効か否かを判断する（Ｓ３３）。有効である場合、制御部２０３は外部接続装置メニューを処理する（Ｓ３４）。具体的には、データ処理部２０６で、受信した操作コードに対応するキーに応じて画面データが処理され、処理された画面データはデータ出力Ｉ／Ｆ２０５を介して表示装置１０１に送信され、表示装置１０１でのその画面データが表示される。このように、外部接続装置２０１では、受信したキーが外部装置メニューに有効である場合、外部装置メニューと受信したキーに応じた処理がなされる。【００４３】
例えば、図５のように、表示部１１１上に表示装置メニュー１５及び外部接続装置メニュー１７が同時に表示されている場合、表示装置メニュー１５においては、共通キーにより操作可能な項目が表示されていない。この場合、共通キーによるメニュー画面の操作は、外部接続装置メニュー１７に対するものとなり、表示装置メニュー１５の操作はできない。【００４４】
３．まとめ
以上のように本実施形態の構成によれば、表示装置メニューと外部接続装置メニューが同時に表示されている状態において、表示装置１０１において、表示装置メニューに対して受信した操作コードの有効／無効を判断する。有効な場合、受信した操作コードにしたがい表示装置メニューを操作し、無効な場合、受信した操作コードにしたがい外部接続装置メニューを操作する。これにより、表示装置メニューと外部接続装置メニューが同時に表示されていている場合でも、双方のメニュー画面を同時に操作することなく、いずれか一方のメニュー画面のみ操作することが可能となる。【００４５】
なお、上記実施形態においては、表示装置と、表示装置に映像信号を出力する外部接続装置とを例として用いて説明した。しかし、本発明の思想は、データ通信が可能な２つの機器間において各機器に対する操作画面（ＧＵＩ）を同時に表示させた状態で、一方の機器に対するリモコンを用いて、表示された操作画面の１つのみを操作可能とするものである。よって、本発明の思想は、表示装置に限らず、他の機能を有する電子機器に対しても適用できる。すなわち、他の機器と接続して他の装置との間でデータ通信が可能な一の機器であって、双方の装置に対する操作画面を同時に一つの画面上に表示することができれば、本発明の思想はその一の機器に対して適用することができる。
【産業上の利用可能性】
【００４６】
本発明は、外部接続装置と連係して使用する表示装置の画面制御技術に有用であり、が必要となる表示装置、前記表示装置に接続された外部接続装置、及び前記表示装置と前記外部接続装置が接続されたシステムにおいて広く適用できる。【００４７】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００５−２８１７６３号（２００５年９月２８日提出）に関連し、それらの内容は参照することにより本文中に組み入れられる。
【図１】
2007037077.tif 000002
【図２】
2007037077.tif 000003
【図３】
2007037077.tif 000004
【図４】
2007037077.tif 000005
【図５】
2007037077.tif 000006
【手続補正書】
【提出日】平成19年1月18日(2007.1.18)
【手続補正１】
【補正対象書類名】特許請求の範囲
【補正対象項目名】全文
【補正方法】変更
【補正の内容】
【書類名】請求の範囲
【請求項１】  第１の機器を操作するための第１の操作画面と、第２の機器を操作するための第２の操作画面とを同時に表示した状態で第１及び第２の機器を制御可能とするための第１の機器の制御方法であって、
第１の機器または第２の機器を操作するための操作情報を受信し、
前記第１の操作画面が表示されているか否かを判断し、
前記第１の操作画面が表示されている場合に、さらに前記受信した操作情報に対応するキーが前記第１の操作画面に対して有効であるか否かを判断し、
前記キーが前記第１の操作画面に有効な場合、前記受信した操作情報に対応するキーに応じて前記第１の機器に対する制御を行い、
前記キーが前記操作画面に有効でない場合、前記操作情報を前記第２の機器へ送信する
ことを特徴とする機器制御方法。
【請求項２】  前記操作情報は前記第１の機器に対するリモコンから送信される、ことを特徴とする請求項１記載の機器制御方法。
【請求項３】  前記操作情報に対応するキーは、上下左右の少なくともいずれかの方向にカーソルを移動させるためのキー及び／又は選択の確定または選択された機能の実行のために使用される決定キーを含む、ことを特徴とする請求項１記載の機器制御方法。
【請求項４】  前記第１の機器は、映像を表示可能な表示装置である、請求項１記載の機器制御方法。
【請求項５】  前記第２の機器は、所定の記録媒体に対して情報の記録及び／又は再生を行うことが可能な装置である、請求項１記載の機器制御方法。
【請求項６】  ａ）外部接続装置との間でデータの送受信可能な電子機器において、
前記電子機器または前記外部接続装置を操作するための操作情報を受信する操作受信部と、
前記電子機器の動作を制御する制御部と、
前記外部接続装置に、前記受信した操作情報をコマンドデータとして送信可能なコマンド送信部とを備え、
ｂ）前記制御部は、
前記操作受信部により操作情報を受信した場合、前記電子機器の操作を行うための操作画面が表示されているか否かを判断し、前記操作画面が表示されている場合、さらに、前記受信した操作情報に対応するキーが前記操作画面に対して有効であるか否かを判断し、
前記キーが前記操作画面に有効な場合、前記受信した操作情報に対応するキーに応じて前記電子機器に対する制御を行い、
前記キーが前記操作画面に有効でない場合、前記コマンド送信部を介して前記外部接続装置へ前記操作情報を送信する、
ことを特徴とする電子機器。
【請求項７】  前記操作受信部は、前記電子機器に対するリモコンから送信された操作情報を受信する、ことを特徴とする請求項６記載の電子機器。
【請求項８】  前記操作情報に対応するキーは、上下左右の少なくともいずれかの方向にカーソルを移動させるためのキー及び／又は選択の確定または選択された機能の実行のために使用される決定キーを含む、ことを特徴とする請求項６記載の電子機器。
【請求項９】  映像を表示可能な表示装置である、請求項６記載の電子機器。
【請求項１０】  電子機器に接続され、前記電子機器との間でデータの送受信可能な外部接続装置であって、
前記電子機器に対して送信された操作情報を前記電子機器から受信するコマンド受信部と、
前記外部接続装置の動作を制御する制御部と、
前記コマンド受信部を介して受信した操作情報に応じて、前記外部接続装置の操作画面を処理するデータ処理部と、
前記データ処理部により処理された操作画面を、前記電子機器へ送信するデータ出力部と
を備えることを特徴とする外部接続装置。
【請求項１１】  所定の記録媒体に対して情報の記録及び／又は再生を行う装置である、請求項１０記載の外部接続装置。
【請求項１２】  請求項６に記載の電子機器と、請求項１０に記載の外部接続装置とを含むことを特徴とするシステム。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
第１の機器を操作するための第１の操作画面と、第２の機器を操作するための第２の操作画面とを同時に表示した状態で第１及び第２の機器を制御可能とするための第１の機器の制御方法であって、
第１の機器または第２の機器を操作するための操作情報を受信し、
前記第１の操作画面が表示されているか否かを判断し、
前記第１の操作画面が表示されている場合に、さらに前記受信した操作情報に対応するキーが前記第１の操作画面に対して有効であるか否かを判断し、
前記キーが前記第１の操作画面に有効な場合、前記受信した操作情報に対応するキーに応じて前記第１の機器に対する制御を行い、
前記キーが前記操作画面に有効でない場合、前記操作情報を前記第２の機器へ送信する
ことを特徴とする機器制御方法。
【請求項２】
前記操作情報は前記第１の機器に対するリモコンから送信される、ことを特徴とする請求項１記載の機器制御方法。
【請求項３】
前記操作情報に対応するキーは、上下左右の少なくともいずれかの方向にカーソルを移動させるためのキー及び／又は選択の確定または選択された機能の実行のために使用される決定キーを含む、ことを特徴とする請求項１記載の機器制御方法。
【請求項４】
前記第１の機器は、映像を表示可能な表示装置である、請求項１記載の機器制御方法。
【請求項５】
前記第２の機器は、所定の記録媒体に対して情報の記録及び／又は再生を行うことが可能な装置である、請求項１記載の機器制御方法。
【請求項６】
ａ）外部接続装置との間でデータの送受信可能な電子機器において、
前記電子機器または前記外部接続装置を操作するための操作情報を受信する操作受信部と、
前記電子機器の動作を制御する制御部と、
前記外部接続装置に、前記受信した操作情報をコマンドデータとして送信可能なコマンド送信部とを備え、
ｂ）前記制御部は、
前記操作受信部により操作情報を受信した場合、前記電子機器の操作を行うための操作画面が表示されているか否かを判断し、前記操作画面が表示されている場合、さらに、前記受信した操作情報に対応するキーが前記操作画面に対して有効であるか否かを判断し、
前記キーが前記操作画面に有効な場合、前記受信した操作情報に対応するキーに応じて前記電子機器に対する制御を行い、
前記キーが前記操作画面に有効でない場合、前記コマンド送信部を介して前記外部接続装置へ前記操作情報を送信する、
ことを特徴とする電子機器。
【請求項７】
前記操作受信部は、前記電子機器に対するリモコンから送信された操作情報を受信する、ことを特徴とする請求項６記載の電子機器。
【請求項８】
前記操作情報に対応するキーは、上下左右の少なくともいずれかの方向にカーソルを移動させるためのキー及び／又は選択の確定または選択された機能の実行のために使用される決定キーを含む、ことを特徴とする請求項６記載の電子機器。
【請求項９】
映像を表示可能な表示装置である、請求項６記載の電子機器。
【請求項１０】
電子機器に接続され、前記電子機器との間でデータの送受信可能な外部接続装置であって、
前記電子機器に対して送信された操作情報を前記電子機器から受信するコマンド受信部と、
前記外部接続装置の動作を制御する制御部と、
前記コマンド受信部を介して受信した操作情報に応じて、前記外部接続装置の操作画面を処理するデータ処理部と、
前記データ処理部により処理された操作画面を、前記電子機器へ送信するデータ出力部と
を備えることを特徴とする外部接続装置。
【請求項１１】
所定の記録媒体に対して情報の記録及び／又は再生を行う装置である、請求項１０記載の外部接続装置。
【請求項１２】
請求項６に記載の電子機器と、請求項１０に記載の外部接続装置とを含むことを特徴とするシステム。
【手続補正２】
【補正対象書類名】明細書
【補正対象項目名】全文
【補正方法】変更
【補正の内容】
【発明の詳細な説明】
【技術分野】
【０００１】
本発明は、操作画面（ＧＵＩ）を用いた機器制御技術に関し、特に、第１の機器の操作画面と、第１の機器に接続する第２の機器の操作画面とを同時に表示した状態で第１の機器または第２の機器を制御する技術（方法、装置）に関する。
【背景技術】
【０００２】
一般にテレビ装置のような表示装置は、テレビ放送を受信し再生するだけでなく、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）、ＤＶＤプレーヤ等の外部接続装置に接続し、それらの外部接続装置で再生したコンテンツを視聴することができる。そのため、表示装置はテレビ放送を受信するためのアンテナ端子に加えて、少なくとも１つの外部入力端子を備えていることが多い。ユーザは、目的に応じて、これらの外部入力をリモコンや表示装置本体上のボタンで切り替えることができるようになっている。
【０００３】
表示装置に接続される外部接続装置についても通常リモコンが提供される。よって、ユーザは表示装置及び外部接続装置それぞれのリモコンを操作対象に応じて使い分ける必要があり、作業が煩雑となる。
【０００４】
この問題を解決するものに特許文献１の表示装置がある。この表示装置では、ＤＶＲなどの再生装置が再生する番組における番組関連情報またはデータ放送を、映像、音声データと関連付けて受信し、伝送フォーマットに応じて複号して再生する。これにより、表示装置において、再生番組のデータ放送を受信するとともに、映像や音声と関連付けた表示やリモコン操作が可能となる。その結果として、従来、表示装置のリモコンとＤＶＲ等の再生装置のリモコンの双方を用いて操作していたものが、表示装置のリモコンのみを用いて両方の機器を操作することが可能となり、ユーザ操作の煩わしさを解決している。
【特許文献１】特開２００４−２７４７１８号公報
【発明の開示】
【発明が解決しようとする課題】
【０００５】
表示装置及び外部接続装置の操作には通常、操作画面（ＧＵＩ：Graphical User Interface）が使用される。表示装置及び外部接続装置の各々の操作画面が同時に表示装置上に表示されている状態で、表示装置及び外部接続装置のリモコンのいずれか一方を使用して機器を操作する場合、次のような問題がある。
【０００６】
表示装置のリモコンまたは外部接続装置のリモコンのいずれか一方を使用した場合、各々の操作画面しか操作することができない。
【０００７】
また、表示装置及び外部接続装置のリモコンのいずれか１つで、表示装置の操作画面と外部接続装置の操作画面を操作できたとしても、一つのリモコンで双方の操作画面が操作され、表示装置の操作画面の機能と外部装置の操作画面の機能とが同時に動作してしまい、片方の操作画面のみ操作することは不可能である。
【０００８】
本発明は上記課題を解決すべくなされたものであり、その目的とするところは、表示装置の操作画面と外部装置の操作画面とが表示装置上に同時に表示されている状態において、１つのリモコンによって双方の操作画面が同時に動作するのを防止しつつ所望の操作を可能とする機器制御方法並びにその方法を用いた電子機器及びシステムを提供することにある。
【課題を解決するための手段】
【０００９】
本発明の第１の態様において、第１の機器を操作するための第１の操作画面と、第２の機器を操作するための第２の操作画面とを同時に表示した状態で第１及び第２の機器を制御可能とするための第１の機器の制御方法が提供される。制御方法は、第１の機器または第２の機器を操作するための操作情報を受信し、第１の操作画面が表示されているか否かを判断する。第１の操作画面が表示されている場合、さらに受信した操作情報に対応するキー（受信キー）が第１の操作画面に対して有効であるか否かを判断する。その受信キーが第１の操作画面に有効な場合、受信キーに応じて第１の機器に対する制御を行う。受信キーが操作画面に有効でない場合、操作情報を第２の機器へ送信する。
【００１０】
操作情報は、第１の機器に対するリモコンから送信されてもよい。
【００１１】
操作情報に対応するキーには、上下左右の少なくともいずれかの方向にカーソルを移動させるためのキー及び／又は選択の確定または選択された機能の実行のために使用される決定キーが含まれてもよい。
【００１２】
第１の機器は映像を表示可能な表示装置であり、第２の機器は、所定の記録媒体に対して情報の記録及び／又は再生を行うことが可能な装置であってもよい。
【００１３】
本発明の第２の態様において、外部接続装置との間でデータの送受信可能な電子機器が提供される。電子機器は、電子機器または外部接続装置を操作するための操作情報を受信する操作受信部と、電子機器の動作を制御する制御部と、外部接続装置に、受信した操作情報をコマンドデータとして送信可能なコマンド送信部とを備える。制御部は、操作受信部により操作情報を受信した場合、電子機器の操作を行うための操作画面が表示されているか否かを判断し、操作画面が表示されている場合、さらに受信した操作情報に対応するキー（受信キー）が操作画面に対して有効であるか否かを判断する。受信キーが操作画面に有効な場合、受信した操作情報に対応するキーに応じて電子機器に対する制御を行う。受信キーが操作画面に有効でない場合、コマンド送信部を介して外部接続装置へ操作情報を送信する。
【００１４】
本発明の第３の態様において、電子機器に接続され、電子機器との間でデータの送受信可能な外部接続装置が提供される。外部接続装置は、電子機器に対して送信された操作情報を電子機器から受信するコマンド受信部と、外部接続装置の動作を制御する制御部と、コマンド受信部を介して受信した操作情報に応じて、外部接続装置の操作画面を処理するデータ処理部と、データ処理部により処理された操作画面を、前記電子機器へ送信するデータ出力部とを備える。
【００１５】
上記の電子機器と外部接続装置によりシステムを構成してもよい。
【発明の効果】
【００１６】
本発明によれば、表示装置の操作画面と外部接続装置の操作画面が同時に表示されている状態においても、押されたボタンが表示装置の操作画面に対して有効か無効かを判断し、有効な場合に表示装置の操作画面を機能させ、無効な場合に外部接続装置の操作画面を機能させる（外部装置の操作に切り替える）。これにより、同時に操作画面が表示されていている場合でも、双方の操作画面が同時に操作されてしまうことを防止し、いずれか一方の操作画面のみ操作することが可能となる。
【発明を実施するための最良の形態】
【００１７】
以下、本発明の実施形態を添付の図面を参照して説明する。
【００１８】
１．システム構成
図１は、本発明の実施の形態における表示装置と外部接続装置からなる映像表示システムの構成を示す図である。表示装置１０１と外部接続装置２０１はともに、フォーカスおよびカーソル移動が可能な操作画面（以下「メニュー画面」という。）を備えている。ここで、「フォーカス」とは、メニュー画面上に表示されている種々の選択項目の１つを指定する操作のことであり、「カーソル移動」とは、選択項目の指定を遷移させる操作をいう。
【００１９】
表示装置１０１は、例えば、放送を受信して、また外部からの映像音声信号を入力して再生可能なテレビ受像機等の電子機器である。外部接続機器２０１は例えば、表示装置１０１に接続可能な機器であって、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）や、ＤＶＤプレーヤである。
【００２０】
表示装置１０１は、複数の操作キー（ボタン）を有する専用のリモコン３００から操作可能である。操作キーは表示装置１０２の本体にも設けられている。リモコン３００や表示装置本体においてユーザによりキーが操作されると、そのキーに応じた操作コードが出力される。表示装置１０１は、リモコン３００または表示装置本体に設けられたキーから操作コードを受信するユーザ操作受信部１０２を備える。ユーザ操作受信部１０２は表示装置１０１に専用のリモコン３００からの操作コードを受け付ける。
【００２１】
表示装置１０１はさらに、表示装置１０１の動作を制御する制御部１０３と、コマンドデータを伝送するコマンド入出力Ｉ／Ｆ（インタフェース）１０４と、映像／音声／メニューデータ等を受信するデータ入力Ｉ／Ｆ１０５と、入力された映像／音声／メニューデータ等を処理するデータ処理部１０６と、放送信号を受信するアンテナ１０７と、アンテナ１０７から受信した放送信号を制御するチューナ１０８と、映像／音声／メニューデータ等を外部から入力する外部入力部１０９と、外部入力部１０９、チューナ１０８及びデータ入力ＩＦ１０５のそれぞれの出力の中から１つを選択するスイッチ１１０と、表示部１１１上に表示中のメニュー画面に関する情報を格納する画面情報格納部１１３とを含む。
【００２２】
外部接続装置２０１も、複数の操作キーを有する専用のリモコン（図示せず）から操作可能であり、また外部接続装置２０１の本体にも複数の操作キーが設けられている。外部接続装置２０１は、外部接続装置２０１のリモコンまたは外部接続装置本体の操作キーから、操作されたキーに応じた操作コードを受信するユーザ操作受信部２０２を有する。ユーザ操作受信部２０２は外部接続装置２０１に専用のリモコンからの操作コードを受け付ける。外部接続装置２０１は、外部接続装置２０１の動作を制御する制御部２０３と、コマンドデータを伝送するコマンド入出力Ｉ／Ｆ２０４と、映像／音声／メニューデータ等を送信するデータ出力Ｉ／Ｆ２０５と、出力したい映像／音声／メニューデータ等を処理するデータ処理部２０６と、表示装置１０１上に表示されているメニュー画面に関する情報を格納する画面情報格納部２１３とを含む。
【００２３】
表示装置１０１と外部接続装置２０１との間は通信ケーブル３０１で接続され、映像データ／音声データ／メニュー画面データやコマンドデータがやりとりされる。表示装置１０１と外部接続装置２０１との間は例えばＨＤＭＩ（High-Definition Multimedia Interface）を用いて接続可能である。ＨＤＭＩは３つのデータチャネルと１つのクロックチャネル（以下「ＴＭＤＳチャンネル」という。）と、機器間の構成やステータスをやり取りするディスプレイデータチャネル（以下「ＤＤＣ」という。）とを有する。さらに、ＨＤＭＩはオプションのＣＥＣ回線を有し、これにより種々のＡＶ機器間で制御信号を双方向に伝送させることができる。本実施形態では、映像データ／音声データ／メニュー画面データはＴＭＤＳチャンネルを介して、コマンドデータはＣＥＣ回線を介して送受信を行う。コマンドデータはＤＤＣを介して送受信してもよい。ＨＤＭＩの代わりにＩＥＥ１３９４を用いても同様の機能が実現できる。
【００２４】
２．動作
表示装置１０１の動作について説明する。表示装置１０１上には、表示装置１０１及び外部接続装置メニューがそれぞれ同時に表示可能であるとする。表示装置１０１の表示部１１１上に、表示装置１０１に対する所定の操作を行うためのメニュー画面（以下「表示装置メニュー」という。）及び外部接続装置２０１に対する所定の操作を行うためのメニュー画面（以下「外部接続装置メニュー」という。）がそれぞれ表示されている状態において、表示装置２０１のリモコン３００または表示装置本体の操作キーは、メニュー画面上でカーソル移動するためのキーに関する指示（操作コード）を送信できる。ユーザ操作受信部１０２はそのキーの指示（操作コード）を受信し、受信したキーの内容を制御部１０３に連絡する。
【００２５】
表示装置１０１のデータ処理部１０６は表示装置メニューを生成し、表示部１１１上で表示させる。
【００２６】
図２は、表示装置１０１及び外部接続装置２０１のそれぞれのメニュー画面が表示部１１１上に同時に表示されている状態の例を示した図である。表示装置メニュー１１には３つの選択項目１１ａ〜１１ｃが表示されている。さらに、選択項目１１ａ〜１１ｃを選択し、確定または実行するために使用するキー（上下左右方向キー、決定キー等）を示すガイダンス１１ｄも表示されている。同様に、外部接続装置メニュー１３には３つの選択項目１３ａ〜１３ｃが表示されている。また、メニュー画面１３は、各選択項目１３ａ〜１３ｃを選択し、確定または実行するために使用するキー（上下左右方向キー、決定キー等）を示すガイダンス１３ｄが表示されている。図２では、表示装置メニュー１１において「音声設定」１１ｂがフォーカスされており、外部接続装置メニュー１３において「再生設定」１３ｂがフォーカスされている。
【００２７】
選択項目を選択し、確定または実行するために使用するキーは、表示装置１０１及び外部接続装置２０１のそれぞれのメニュー画面において共通に使用されるキー（ボタン）であるため、これらのキーを総称して「共通キー」と呼ぶ。共通キーは、一つ前の状態に戻ったり、表示している画面を消去したりするボタン（以下「戻るキー」）を含んでもよい。以下の説明では、説明の簡単化のために、表示装置１０１または外部接続装置２０１がリモコンまたは装置本体から、共通キーの操作コードを受信した場合の動作について説明する。共通キー以外のキーの操作コードを受信した場合、従来どおりそのキーに応じたメニュー画面の操作を行えばよい。
【００２８】
図１に戻り、スイッチ１１０はデータ入力ＩＦ１０５の出力を選択している。よって、データ処理部１０６は、外部接続装置２０１からデータ入力Ｉ／Ｆ１０５を介して入力した信号に対して所定のデータ処理を行い表示部１１１に表示させる。
【００２９】
制御部１０３は、表示装置メニューと外部接続装置メニューの状態を管理している。また、現在表示している表示装置メニュー内の表示内容も管理している。このため、現在表示されている表示装置メニューと外部接続装置メニューの状態に関する情報、及び、現在表示している表示装置メニュー内の表示内容に関する情報が、画面情報格納部１１３に格納される。制御部１０３は画面情報格納部１１３を参照してメニュー画面の表示状態、表示内容を認識し、受信したキーが、現在表示されている画面に有効（必要）なキーか否かを判断できる。メニュー画面の状態とは、メニュー画面の表示／非表示状態を意味し、メニュー画面内の表示内容は、メニュー画面に表示されている選択項目の内容や、各選択項目の選択状態等を含む。
【００３０】
制御部１０３は、ユーザ操作受信部１０２で受信した操作コードに対応するキーの内容（種類）を判断する。制御部１０３は、受信したキーが現在表示している、表示装置メニュー１１の表示内容に有効なキーである場合、つまり、制御部１０３で管理している、表示装置メニュー１１で必要なキーと受信したキーとが一致した場合、受信したキーを、表示装置メニュー１１の操作に用いる。この場合、制御部１０３は、受信したキーに関するコマンドデータを、コマンド入出力Ｉ／Ｆ１０４へ転送しない。
【００３１】
一方、ユーザ操作受信部１０２で受信した共通キーの内容が現在表示している表示装置メニュー１１に無効な場合、つまり、制御部１０３で管理している、表示装置メニュー１１で必要とされているキーと受信したキーとが一致しない場合、制御部１０３は、表示装置メニュー１１の状態を保持し、受信したキーに対応するコマンドデータをコマンド入出力Ｉ／Ｆ１０４へ転送する。このコマンドデータは、コマンド入出力Ｉ／Ｆ１０４を介して外部接続装置２０１へ送信される。
【００３２】
外部接続装置２０１は、コマンド入出力Ｉ／Ｆ１０４を介して表示装置１０１からコマンドデータを受信する。表示装置１０１の表示部１１１に外部接続装置メニューが表示されている場合、制御部２０３は、受信したコマンドデータに基づき、表示装置１０１から受信したキーの内容を判断する。制御部２０３は、受信したキーの内容が、表示部１１１上で現在表示中の外部接続装置メニューに有効な場合、外部接続装置メニューに対してそのキーの内容に応じた処理を行う。つまり、このタイミングでキーによる指示が外部接続装置２０１に伝達される。なお、表示部１１１上で表示される外部接続装置メニューは、外部接続装置２０１のデータ処理部２０６により生成され、そのデータがデータ出力Ｉ／Ｆ２０５を介して表示装置１０１に送信される。
【００３３】
表示装置１０１の制御部１０３は、受信したキーの内容が現在表示している表示装置メニュー及び外部接続装置メニューのいずれにも無効である場合、そのキーについて特に処理を行わない。
【００３４】
（表示装置における処理）
図３は、本実施形態における、外部接続装置２０１が接続された表示装置１０１の処理を示すフローチャートである。表示装置１０１上では、表示装置１０１及び外部接続装置２０１のそれぞれのメニュー画面が表示されており、両メニュー画面はともに共通キーによる操作（フォーカスおよびカーソル移動）が可能な画面である。
【００３５】
表示装置１０１のユーザ操作受信部１０２は、リモコン３００または表示装置本体から、ユーザにより操作されたキーに応じた操作コードを受信する（Ｓ１１）。制御部１０３は、画面情報格納部２１３を参照し、表示部１１１に表示装置メニューが表示されているか否かを確認する（Ｓ１２）。表示装置メニューが表示されている場合、画面情報格納部２１３を参照し、受信した操作コードのキーが、表示中の表示装置メニューに有効なキーであるか否かを判断する（Ｓ１３）。表示中の表示装置メニューが、共通キーにより操作可能な画面か否かを判断する。
【００３６】
ステップＳ１３において、有効であると判断した場合、制御部１０３は受信したキーの内容にしたがい表示装置メニューを処理する（Ｓ１４）。すなわち、表示装置１０１に対して、表示装置メニューと受信したキーに応じた処理がなされる。例えば、図２のような表示装置１０１または外部接続装置２０１各々のメニュー画面１１、１３が同時に表示されている場合、表示装置メニュー１１においては、フォーカス（本例の場合、音声設定項目１１ｂ）およびカーソル移動が可能であるため、受信した操作コードのキーが表示中のメニュー画面に有効なキーであると判断される。この場合、そのキーにより表示装置メニューに対して操作でき、外部接続装置メニューの操作は不可となる。
【００３７】
一方、ステップＳ１３で、受信したキーが表示中のメニュー画面に有効でない場合（Ｓ１３でＮＯ）、制御部１０３は、その受信したキーに関する情報をコマンド入出力Ｉ／Ｆ１０４を介して外部接続装置２０１へ送信する（Ｓ１５）。この場合、表示部１１１上に表示された表示装置メニューは変更されない。
【００３８】
（外部接続装置における処理）
図４は、本実施の形態における、表示装置１０１に接続した外部接続装置２０１の処理を示すフローチャートである。
【００３９】
外部接続装置２０１は、コメント入出力Ｉ／Ｆ２０４を介して表示装置１０１から操作コードを受信する（Ｓ３１）。外部接続装置２０１の制御部２０３は、画面情報格納部２１３を参照し、外部接続装置メニューが表示装置１０１の表示部１１１に表示されているか否かを確認する（Ｓ３２）。
【００４０】
外部接続装置メニューが表示されている場合、制御部２０３は、受信した操作コードに対応するキーが、表示中の外部接続装置メニューに有効か否かを判断する（Ｓ３３）。有効である場合、制御部２０３は外部接続装置メニューを処理する（Ｓ３４）。具体的には、データ処理部２０６で、受信した操作コードに対応するキーに応じて画面データが処理され、処理された画面データはデータ出力Ｉ／Ｆ２０５を介して表示装置１０１に送信され、表示装置１０１でのその画面データが表示される。このように、外部接続装置２０１では、受信したキーが外部装置メニューに有効である場合、外部装置メニューと受信したキーに応じた処理がなされる。
【００４１】
例えば、図５のように、表示部１１１上に表示装置メニュー１５及び外部接続装置メニュー１７が同時に表示されている場合、表示装置メニュー１５においては、共通キーにより操作可能な項目が表示されていない。この場合、共通キーによるメニュー画面の操作は、外部接続装置メニュー１７に対するものとなり、表示装置メニュー１５の操作はできない。
【００４２】
３．まとめ
以上のように本実施形態の構成によれば、表示装置メニューと外部接続装置メニューが同時に表示されている状態において、表示装置１０１において、表示装置メニューに対して受信した操作コードの有効／無効を判断する。有効な場合、受信した操作コードにしたがい表示装置メニューを操作し、無効な場合、受信した操作コードにしたがい外部接続装置メニューを操作する。これにより、表示装置メニューと外部接続装置メニューが同時に表示されていている場合でも、双方のメニュー画面を同時に操作することなく、いずれか一方のメニュー画面のみ操作することが可能となる。
【００４３】
なお、上記実施形態においては、表示装置と、表示装置に映像信号を出力する外部接続装置とを例として用いて説明した。しかし、本発明の思想は、データ通信が可能な２つの機器間において各機器に対する操作画面（ＧＵＩ）を同時に表示させた状態で、一方の機器に対するリモコンを用いて、表示された操作画面の１つのみを操作可能とするものである。よって、本発明の思想は、表示装置に限らず、他の機能を有する電子機器に対しても適用できる。すなわち、他の機器と接続して他の装置との間でデータ通信が可能な一の機器であって、双方の装置に対する操作画面を同時に一つの画面上に表示することができれば、本発明の思想はその一の機器に対して適用することができる。
【産業上の利用可能性】
【００４４】
本発明は、外部接続装置と連係して使用する表示装置の画面制御技術に有用であり、が必要となる表示装置、前記表示装置に接続された外部接続装置、及び前記表示装置と前記外部接続装置が接続されたシステムにおいて広く適用できる。
【００４５】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００５−２８１７６３号（２００５年９月２８日提出）に関連し、それらの内容は参照することにより本文中に組み入れられる。
【図面の簡単な説明】
【００４６】
【図１】本発明の実施の形態における表示装置と外部接続装置を含む映像表示システムの構成図
【図２】表示装置及び外部接続装置の各々のメニュー画面が同時に表示されている例を示す図
【図３】本発明の実施の形態における表示装置のフローチャート
【図４】本発明の実施の形態における外部接続装置のフローチャート
【図５】表示装置及び外部接続装置の各々のメニュー画面が同時に表示されている例を示す図
【符号の説明】
【００４７】
１１、１５    表示装置用メニュー画面
１３、１７    外部接続装置用メニュー画面
１０１    表示装置（電子機器）
１０２、２０２    ユーザ操作受信部
１０３、２０３    制御部
１０４、２０４    コマンド入出力Ｉ／Ｆ
１０５    データ入力Ｉ／Ｆ
１０６、２０６    データ処理部
１０７    アンテナ
１０８    チューナ
１０９    外部入力部
１１０    スイッチ
１１１    表示部
２０１    外部接続装置
２０５    データ出力Ｉ／Ｆ
３００    表示装置用リモコン
３０１    通信ケーブル
【手続補正３】
【補正対象書類名】図面
【補正対象項目名】全図
【補正方法】変更
【補正の内容】
【図１】
2007037077.tif 000007
【図２】
2007037077.tif 000008
【図３】
2007037077.tif 000009
【図４】
2007037077.tif 000010
【図５】
2007037077.tif 000011
【国際調査報告】
2007037077.tif 000012
2007037077.tif 000013